(57)【要約】【課題】ユーザごとの嗜好に応じた設定を容易に又は自動的に呼び出すこと。【解決手段】ユーザの指紋を検知し、当該指紋のうち１つ以上の断面における指の凹凸を表す指紋情報を出力する指紋検知部と、前記指紋情報に含まれる周波数成分に応じて前記ユーザの指紋の特徴を表す特徴パターンを抽出する特徴パターン抽出部と、１人以上の指紋の特徴パターンを既知の特徴パターンとして予め記憶している特徴パターン記憶部と、前記特徴パターン抽出部により抽出された特徴パターンと前記特徴パターン記憶部により記憶されている既知の各特徴パターンとの間で計算される相関に基づいて、既知のユーザの中から指紋が検知されたユーザを識別する個人識別部と、前記個人識別部により識別されたユーザを特定するユーザ識別子を自装置の周囲へ送信する信号送信部と、を備える遠隔制御装置を提供する。【選択図】図２
2010087596.tif 000002
【特許請求の範囲】
【請求項１】
ユーザの指紋を検知し、当該指紋のうち１つ以上の断面における指の凹凸を表す指紋情報を出力する指紋検知部；
前記指紋情報に含まれる周波数成分に応じて前記ユーザの指紋の特徴を表す特徴パターンを抽出する特徴パターン抽出部；
１人以上の指紋の特徴パターンを既知の特徴パターンとして予め記憶している特徴パターン記憶部；
前記特徴パターン抽出部により抽出された特徴パターンと前記特徴パターン記憶部により記憶されている既知の各特徴パターンとの間で計算される相関に基づいて、既知のユーザの中から指紋が検知されたユーザを識別する個人識別部；
及び、前記個人識別部により識別されたユーザを特定するユーザ識別子を自装置の周囲へ送信する信号送信部；
を備える遠隔制御装置と：
前記遠隔制御装置から送信された前記ユーザ識別子を受信する信号受信部；
装置の動作に関連する設定データをユーザごとに記憶している設定記憶部；
及び、前記信号受信部により受信された前記ユーザ識別子に応じて前記設定記憶部から取得した前記設定データを用いて、自装置の動作を制御する制御部；
を備える被制御装置と：
を含む情報処理システム。
【請求項２】
前記信号送信部は、ユーザによる操作の種類に応じて生成される操作信号に前記ユーザ識別子を含めて送信する、請求項１に記載の情報処理システム。
【請求項３】
前記個人識別部は、前記特徴パターン抽出部により抽出された特徴パターンと前記特徴パターン記憶部により記憶されている既知の各特徴パターンとの間で計算される全ての相関が、予め定義される所定の相関閾値よりも小さい場合には、前記特徴パターン抽出部により抽出された特徴パターンを前記特徴パターン記憶部に記憶させる、請求項１に記載の情報処理システム。
【請求項４】
前記制御部は、前記信号受信部により受信された前記ユーザ識別子が未登録のユーザのユーザ識別子である場合には、新たなユーザに関連するデータを登録するためのアプリケーションを起動させる、請求項１に記載の情報処理システム。
【請求項５】
前記被制御装置は、任意のチャンネルの放送信号を受信し、表示装置に映像を出力させ、音声出力装置に音声を出力させ、又は表示装置にネットワーク経由で取得したコンテンツを表示させるデジタルテレビであり、
前記設定データは、前記表示装置に出力される映像の画質、前記音声出力装置に出力される音声の音質、前記コンテンツを表示するブラウザの設定、前記コンテンツの視聴履歴若しくは課金情報、前記表示装置に出力されるＧＵＩの設定、前記放送信号を受信するチャンネルの選択、又は前記デジタルテレビの使用終了時の状態のうち少なくとも１つに関連するデータを含む、請求項１に記載の情報処理システム。
【請求項６】
ユーザの指紋を検知し、当該指紋のうち１つ以上の断面における指の凹凸を表す指紋情報を出力する指紋検知部と；
前記指紋情報に含まれる周波数成分に応じて前記ユーザの指紋の特徴を表す特徴パターンを抽出する特徴パターン抽出部と；
１人以上の指紋の特徴パターンを既知の特徴パターンとして予め記憶している特徴パターン記憶部と；
前記特徴パターン抽出部により抽出された特徴パターンと前記特徴パターン記憶部により記憶されている既知の各特徴パターンとの間で計算される相関に基づいて、既知のユーザの中から指紋が検知されたユーザを識別する個人識別部と；
前記個人識別部により識別されたユーザを特定するユーザ識別子を自装置の周囲へ送信する信号送信部と；
を備える遠隔制御装置。
【請求項７】
遠隔制御装置において、ユーザの指紋を検知し、当該指紋のうち１つ以上の断面における指の凹凸を表す指紋情報を出力するステップと；
前記指紋情報に含まれる周波数成分に応じて前記ユーザの指紋の特徴を表す特徴パターンを抽出するステップと；
抽出された前記特徴パターンと記憶装置に予め記憶されている既知の特徴パターンとの間で計算される相関に基づいて、既知のユーザの中から指紋が検知されたユーザを識別するステップと；
識別されたユーザを特定するユーザ識別子を前記遠隔制御装置から周囲へ送信するステップと；
被制御装置において、前記遠隔制御装置から送信された前記ユーザ識別子を受信するステップと；
前記被制御装置の動作に関連する設定データをユーザごとに記憶している記憶装置から、受信された前記ユーザ識別子に応じた設定データを取得するステップと；
取得された前記設定データを用いて、前記被制御装置の動作を制御するステップと；
を含む個人別制御方法。
【発明の詳細な説明】
【技術分野】
【０００１】
本発明は、情報処理システム、遠隔制御装置、個人別制御方法に関する。
【背景技術】
【０００２】
近年、デジタル技術を応用して機能を多様化させた多くのデジタル家電機器が普及している。例えば、デジタルテレビにおいては、テレビジョン番組を見ながらインターネットブラウザを表示させ、又はネットワーク経由でダウンロードした映像や楽曲などのコンテンツを再生するなど、従来のテレビジョン受像機には無かった様々な機能が実現されている。
【０００３】
デジタル家電機器の機能の多様化が進むにつれて、ユーザにとっては、機器の設定項目が膨大となり、所望の設定を選択する手間が増大するという懸念がある。そのため、機器の設定の手順を簡略化させる技術開発も進められている。例えば、下記特許文献１では、番組のジャンルに応じて視聴者の好みに合わせた画質を自動的に選択する映像表示装置が提案されている。
【０００４】
【特許文献１】特開２００８−２８８７１号公報
【発明の開示】
【発明が解決しようとする課題】
【０００５】
しかしながら、ユーザごとに嗜好が異なる近日の状況下では、家族の一員が自分の好みに合わせて行ったデジタル家電機器の設定が、必ずしも別の家族にとって望ましい設定とはならない場合もある。そうした場合に、デジタル家電機器の設定を都度変更しなければならないとすれば不便であり、ユーザごとの嗜好に応じた設定を容易に又は自動的に呼び出すことのできる簡便な機能の実現が期待される。
【０００６】
そこで、本発明は、上記問題に鑑みてなされたものであり、本発明の目的とするところは、ユーザごとの嗜好に応じた設定を容易に又は自動的に呼び出すことのできる、新規かつ改良された簡便な情報処理システム、遠隔制御装置、個人別制御方法を提供することにある。
【課題を解決するための手段】
【０００７】
上記課題を解決するために、本発明のある観点によれば、ユーザの指紋を検知し、当該指紋のうち１つ以上の断面における指の凹凸を表す指紋情報を出力する指紋検知部、前記指紋情報に含まれる周波数成分に応じて前記ユーザの指紋の特徴を表す特徴パターンを抽出する特徴パターン抽出部、１人以上の指紋の特徴パターンを既知の特徴パターンとして予め記憶している特徴パターン記憶部、前記特徴パターン抽出部により抽出された特徴パターンと前記特徴パターン記憶部により記憶されている既知の各特徴パターンとの間で計算される相関に基づいて、既知のユーザの中から指紋が検知されたユーザを識別する個人識別部、及び、前記個人識別部により識別されたユーザを特定するユーザ識別子を自装置の周囲へ送信する信号送信部、を備える遠隔制御装置と、前記遠隔制御装置から送信された前記ユーザ識別子を受信する信号受信部、装置の動作に関連する設定データをユーザごとに記憶している設定記憶部、及び、前記信号受信部により受信された前記ユーザ識別子に応じて前記設定記憶部から取得した前記設定データを用いて、自装置の動作を制御する制御部、を備える被制御装置と、を含む情報処理システムが提供される。
【０００８】
また、前記信号送信部は、ユーザによる操作の種類に応じて生成される操作信号に前記ユーザ識別子を含めて送信してもよい。
【０００９】
また、前記個人識別部は、前記特徴パターン抽出部により抽出された特徴パターンと前記特徴パターン記憶部により記憶されている既知の各特徴パターンとの間で計算される全ての相関が、予め定義される所定の相関閾値よりも小さい場合には、前記特徴パターン抽出部により抽出された特徴パターンを前記特徴パターン記憶部に記憶させてもよい。
【００１０】
また、前記制御部は、前記信号受信部により受信された前記ユーザ識別子が未登録のユーザのユーザ識別子である場合には、新たなユーザに関連するデータを登録するためのアプリケーションを起動させてもよい。
【００１１】
また、前記被制御装置は、任意のチャンネルの放送信号を受信し、表示装置に映像を出力させ、音声出力装置に音声を出力させ、又は表示装置にネットワーク経由で取得したコンテンツを表示させるデジタルテレビであり、前記設定データは、前記表示装置に出力される映像の画質、前記音声出力装置に出力される音声の音質、前記コンテンツを表示するブラウザの設定、前記コンテンツの視聴履歴若しくは課金情報、前記表示装置に出力されるＧＵＩの設定、前記放送信号を受信するチャンネルの選択、又は前記デジタルテレビの使用終了時の状態のうち少なくとも１つに関連するデータを含んでもよい。
【００１２】
上記課題を解決するために、本発明の別の観点によれば、ユーザの指紋を検知し、当該指紋のうち１つ以上の断面における指の凹凸を表す指紋情報を出力する指紋検知部と、前記指紋情報に含まれる周波数成分に応じて前記ユーザの指紋の特徴を表す特徴パターンを抽出する特徴パターン抽出部と、１人以上の指紋の特徴パターンを既知の特徴パターンとして予め記憶している特徴パターン記憶部と、前記特徴パターン抽出部により抽出された特徴パターンと前記特徴パターン記憶部により記憶されている既知の各特徴パターンとの間で計算される相関に基づいて、既知のユーザの中から指紋が検知されたユーザを識別する個人識別部と、前記個人識別部により識別されたユーザを特定するユーザ識別子を自装置の周囲へ送信する信号送信部と、を備える遠隔制御装置が提供される。
【００１３】
上記課題を解決するために、本発明の別の観点によれば、遠隔制御装置において、ユーザの指紋を検知し、当該指紋のうち１つ以上の断面における指の凹凸を表す指紋情報を出力するステップと、前記指紋情報に含まれる周波数成分に応じて前記ユーザの指紋の特徴を表す特徴パターンを抽出するステップと、抽出された前記特徴パターンと記憶装置に予め記憶されている既知の特徴パターンとの間で計算される相関に基づいて、既知のユーザの中から指紋が検知されたユーザを識別するステップと、識別されたユーザを特定するユーザ識別子を前記遠隔制御装置から周囲へ送信するステップと、被制御装置において、前記遠隔制御装置から送信された前記ユーザ識別子を受信するステップと、前記被制御装置の動作に関連する設定データをユーザごとに記憶している記憶装置から、受信された前記ユーザ識別子に応じた設定データを取得するステップと、取得された前記設定データを用いて、前記被制御装置の動作を制御するステップと、を含む個人別制御方法が提供される。
【発明の効果】
【００１４】
以上説明したように、本発明に係る情報処理システム、遠隔制御装置、個人別制御方法によれば、ユーザごとの嗜好に応じた設定を容易に又は自動的に呼び出すことができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、以下の順序にしたがって当該「発明を実施するための最良の形態」を説明する。
１．情報処理システムの概要
２．遠隔制御装置の構成例
３．被制御装置の構成例
４．処理の流れ
５．まとめ
【００１７】
＜１．情報処理システムの概要＞
まず、図１を参照しながら、本発明の一実施形態に係る情報処理システム１について説明する。
【００１８】
図１は、情報処理システム１の概要を示す模式図である。図１を参照すると、情報処理システム１は、遠隔制御装置１００及び被制御装置２００を含む。
【００１９】
遠隔制御装置１００は、被制御装置２００に対し、ユーザによる操作に応じた指示を伝えるための操作信号を、例えば赤外線や電波などを用いて送信する。また、遠隔制御装置１００は、後に詳しく説明するように、遠隔制御装置１００を操作するユーザの指紋を検知して個人を識別し、識別結果を被制御装置２００へ送信する。
【００２０】
被制御装置２００は、例えば、遠隔制御装置１００から送信される前述の操作信号を受信し、操作内容に応じて自装置の動作を制御する。また、被制御装置２００は、後に詳しく説明するように、遠隔制御装置１００から送信される個人識別の結果を、自装置の動作に関連する設定に反映する。
【００２１】
図１では、被制御装置２００の一例としてデジタルテレビを示している。しかしながら、被制御装置２００は、デジタルテレビに限定されず、例えばＨＤＤ（Hard  Disk  Drive）レコーダやＢＤ（Blu-ray  Disk）レコーダなどの録画再生装置、楽曲再生装置、又はその他の任意のデジタル家電機器であってよい。
【００２２】
＜２．遠隔制御装置の構成例＞
図２は、遠隔制御装置１００の論理的な構成を示すブロック図である。図２を参照すると、遠隔制御装置１００は、操作部１１０、指紋検知部１２０、特徴パターン抽出部１３０、特徴パターン記憶部１４０、個人識別部１５０、情報表示部１６０、及び信号送信部１７０を備える。
【００２３】
操作部１１０は、例えばボタンやスイッチ、レバーなど、遠隔制御装置１００の表面に設けられたるユーザインタフェースを介して、ユーザからの操作を受け付ける。そして、操作部１１０は、ユーザによる操作の種類に応じた操作信号を生成し、生成した操作信号を指紋検知部１２０及び信号送信部１７０へ出力する。
【００２４】
指紋検知部１２０は、操作部１１０から操作信号を入力されると、遠隔制御装置１００の筐体に接しているユーザの指紋を検知し、当該指紋の所定の断面における指の凹凸を表す指紋情報を特徴パターン抽出部１３０へ出力する
【００２５】
図３は、遠隔制御装置１００の外観の一例を示す模式図である。このうち、図３（Ａ）は遠隔制御装置１００の上面図、図３（Ｂ）は遠隔制御装置１００の側面図である。
【００２６】
図３（Ａ）を参照すると、遠隔制御装置１００の２つの側面には、指紋検知センサ１２２ａ及び１２２ｂが付設されている。また、図３（Ｂ）を参照すると、指紋検知センサ１２２ａ及び１２２ｂはそれぞれ、その表面に窪み１２４及び指止め１２６を有する。それにより、遠隔制御装置１００を把持するユーザの指が指紋検知センサ１２２ａ又は１２２ｂの表面の同じ位置に固定され、指紋検知部１２０により出力される同一のユーザの指紋情報の再現性が担保される。なお、指紋検知センサ１２２ａ及び１２２ｂは、例えば、指との接触面において指紋の凹凸に応じて生じる静電容量の差異を電気信号に変換する静電容量方式の指紋検知センサなどを用いて実装され得る。
【００２７】
図４は、指紋検知部１２０により出力される指紋情報の一例を説明するための模式図である。図４を参照すると、指紋検知部１２０により出力される指紋情報は、ユーザの指紋の凹凸を１０個の断面Ｌ１〜Ｌ１０に沿って読み取った一次元の信号列の集合から構成される。即ち、本実施形態において、指紋検知部１２０は、指紋全体を画像として読み取るのではなく、ユーザの指紋の所定の断面における凹凸を読み取る。それにより、指紋情報の情報量が抑制され、後続の処理の処理量が低減されることで、遠隔制御装置１００の俊敏な操作感が維持される。なお、ユーザの指紋の凹凸を読み取る断面の数は、図４の例に限定されず、任意の数であってよい。
【００２８】
図２に戻り、遠隔制御装置１００の論理的な構成の説明を継続する。
【００２９】
特徴パターン抽出部１３０は、指紋検知部１２０から入力される指紋情報に含まれる周波数成分に応じて、遠隔制御装置１００を操作したユーザの指紋の特徴を表す特徴パターンを抽出する。
【００３０】
図５は、特徴パターン抽出部１３０のより詳細な構成の一例を示すブロック図である。図５を参照すると、特徴パターン抽出部１３０は、離散フーリエ変換器１３２及び平滑化フィルタ１３４を有する。
【００３１】
離散フーリエ変換器１３２は、特徴パターン抽出部１３０に一次元の信号列の集合よりなる指紋情報が入力されると、当該信号列を離散フーリエ変換し、指紋情報に含まれる周波数成分を抽出する。そして、離散フーリエ変換器１３２は、抽出した指紋情報の周波数成分を、平滑化フィルタ１３４へ出力する。
【００３２】
平滑化フィルタ１３４は、入力された指紋情報の周波数成分にいわゆるスムージング処理をし、指紋情報の特徴パターンを生成する。スムージング処理により、指紋の細部の情報は失われる。しかしながら、デジタル家電機器の通常の利用場面などのように、家庭内の多くても１０名程度のユーザを識別するために十分な指紋の特徴は、平滑化フィルタ１３４から出力される特徴パターンに残される。
【００３３】
特徴パターン抽出部１３０は、このようにして得られたユーザの指紋の特徴を表す特徴パターンを、個人識別部１５０へ出力する。
【００３４】
再び図２に戻り、遠隔制御装置１００の論理的な構成の説明を継続する。
【００３５】
特徴パターン記憶部１４０は、上述した特徴パターンの抽出処理により過去に抽出された１人以上の指紋の特徴パターンを、既知の特徴パターンとして予め記憶している。特徴パターン記憶部１４０は、例えば、ユーザを特定するユーザ識別子と関連付けて既知の特徴パターンを記憶しており、後述する個人識別部１５０からの問合せに応じて、ユーザ識別子と既知の特徴パターンの組を出力する。
【００３６】
個人識別部１５０は、特徴パターン抽出部１３０から遠隔制御装置１００を操作したユーザの指紋の特徴パターンが入力されると、当該特徴パターンと特徴パターン記憶部１４０に記憶されている既知の各特徴パターンとの間の相関を計算する。そして、個人識別部１５０は、例えば、予め定義される所定の相関閾値よりも高い相関を示す既知の特徴パターンのうち、相関の最も大きい特徴パターンに関連付けられたユーザを、遠隔制御装置１００を操作したユーザであると判定する。そして、個人識別部１５０は、識別されたユーザを特定するユーザ識別子を含むユーザ識別信号を、情報表示部１６０及び信号送信部１７０へ出力する。
【００３７】
また、個人識別部１５０は、例えば、予め定義される所定の相関閾値よりも高い相関を示す既知の特徴パターンが存在しない場合には、遠隔制御装置１００を操作したユーザが未登録であると判定する。その場合、個人識別部１５０は、例えば、新たに採番したユーザ識別子と関連付けて、特徴パターンを特徴パターン記憶部１４０に記憶させる。そして、個人識別部１５０は、例えば、ユーザが未登録であることを示す未登録通知信号を情報表示部１６０及び信号送信部１７０へ出力する。
【００３８】
情報表示部１６０は、個人識別部１５０からユーザ識別信号が入力されると、例えば、図３（Ａ）において遠隔制御装置１００に設けられた表示装置１６２に、個人識別部１５０から入力されたユーザ識別子を表示する。それにより、ユーザは、遠隔制御装置１００による個人の識別が成功したことを知ることができる。なお、情報表示部１６０は、ユーザ識別子の代わりに、ユーザのニックネームやアイコンなど、ユーザを一意に判別することのできる任意の情報を表示装置１６２に表示させてもよい。
【００３９】
また、情報表示部１６０は、個人識別部１５０から未登録通知信号が入力されると、例えば、前述した表示装置１６２に、ユーザが未登録であることを示す情報を表示する。それにより、ユーザは、例えば、後述する被制御装置２００の有するユーザ登録アプリケーションを用いて、ユーザデータを新たに登録すべきであることを知ることができる。
【００４０】
一方、信号送信部１７０は、個人識別部１５０からユーザ識別信号が入力されると、例えば、操作部１１０から入力された操作の種類に応じた操作信号にユーザ識別信号から取得したユーザ識別子を含めて、送信信号を生成する。即ち、送信信号には、例えば、ユーザによる操作の種類を識別する操作識別子と操作者であるユーザを識別するユーザ識別子とが含まれる。
【００４１】
また、信号送信部１７０は、個人識別部１５０から未登録通知信号が入力された場合には、例えば、新たに採番されたユーザ識別子と共にユーザデータの登録を促す情報を操作信号に含めて、送信信号を生成する。
【００４２】
そして、信号送信部１７０は、生成された送信信号を例えば赤外線や電波などの無線信号に変調し、自装置の周囲へ送信する。
【００４３】
＜３．被制御装置の構成例＞
図６は、本実施形態に係る被制御装置２００の論理的な構成を示すブロック図である。
【００４４】
図６を参照すると、被制御装置２００は、チューナ２１０、放送記憶部２２０、出力部２３０、信号受信部２５０、設定記憶部２６０、制御部２７０、及びユーザ登録アプリケーション２８０を備える。
【００４５】
チューナ２１０は、例えば電波を使って放送され、又はネットワークを介して配信される放送信号を所定のチャンネルにおいて受信し、復号化した後、復号化済みの映像信号を放送記憶部２２０及び出力部２３０へ出力する。
【００４６】
放送記憶部２２０は、例えばＨＤＤやＢＤなどの大容量記憶装置を用いて、チューナ２１０から入力される映像信号を記憶する。また、放送記憶部２２０は、制御部２７０からの要求に応じて、過去に記憶した映像信号を記憶装置から読み出し、出力部２３０へ出力する。
【００４７】
出力部２３０は、チューナ２１０又は放送記憶部２２０から映像信号が入力されると、被制御装置２００の内蔵する（又は被制御装置２００に接続された）表示装置に映像を表示し、及び音声出力装置に音声を出力する。また、出力部２３０は、ネットワーク経由で取得したＷＥＢコンテンツなどを表示装置に表示してもよい。
【００４８】
信号受信部２５０は、前述した遠隔制御装置１００の信号送信部１７０から例えば赤外線や電波などを用いて送信される無線信号を受信し、復調して、前述した操作信号を得る。そして、信号受信部２５０は、復調された操作信号を制御部２７０へ出力する。
【００４９】
設定記憶部２６０は、被制御装置２００を利用するユーザのユーザ識別子と関連付けて、被制御装置２００の動作に関連する設定データをユーザごとに記憶している。そして、設定記憶部２６０は、例えば制御部２７０からの要求に応じて、指定されたユーザの設定データを記憶装置から読み出して出力する。
【００５０】
制御部２７０は、信号受信部２５０から操作信号が入力されると、操作の種類に応じて、被制御装置２００の動作を制御する。例えば、チューナ２１０により受信されるチャンネルの選択、放送記憶部２２０による映像信号の録画又は再生、出力部２３０による映像やＷＥＢコンテンツの表示などは、いずれも制御部２７０により制御され得る。
【００５１】
このとき、制御部２７０は、操作信号にユーザ識別子が含まれている場合には、当該ユーザ識別子と関連付けられた設定データを設定記憶部２６０から取得し、取得した設定データを制御の内容に反映する。
【００５２】
例えば、ユーザごとの設定データには、出力部２３０により表示装置に映像が表示される際の画質モード（ダイナミックモード、シネマモードなど）、ピクチャ、明るさ、バックライトの輝度、色温度などの画質関連のデータが含まれていてもよい。また、ユーザごとの設定データには、音質モード（ダイナミックモード、カスタムモードなど）、高音又は低音の強調、サラウンドの設定などの音質関連のデータが含まれていてもよい。
【００５３】
また、例えば、ユーザごとの設定データには、出力部２３０により表示装置にＷＥＢコンテンツを表示させる際のブラウザの設定（起動時のトップページやお気に入りの設定など）に関連するデータが含まれていてもよい。
【００５４】
また、例えば、被制御装置２００がＶＯＤ（Video  On  Demand）に対応している場合、ユーザごとの設定データには、ＶＯＤの視聴履歴や課金情報などが含まれていてもよい。
【００５５】
また、例えば、ユーザごとの設定データには、ＧＵＩ（Graphics  User  Interface）関連の設定データとして、壁紙やメニューの外観、メニューの表示項目、テキストのフォントサイズなどが含まれていてもよい。
【００５６】
また、例えば、ユーザごとの設定データには、チャンネルの選局履歴データなどが含まれていてもよい。その場合、制御部２７０は、選局履歴データに基づいてユーザがよく視聴するサービスやチャンネルを先読みしてバッファしておくことにより、ユーザの嗜好に合わせた高速のザッピングを実現することができる。
【００５７】
また、例えば、ユーザごとの設定データには、当該ユーザが被制御装置２００の使用を終了（電源オフなど）した際の状態に関連するデータが含まれていてもよい。その場合、制御部２７０は、例えば、次に同じユーザが操作を行った際、そのユーザが前回被制御装置２００の使用を終了した際の状態を復元することができる（途中まで視聴した映像や楽曲の再生の再開など）。
【００５８】
また、例えば、ユーザごとの設定データには、番組の個人別の録画予約に関連するデータが含まれていてもよい。その場合、制御部２７０は、例えば、あるユーザが予約していた録画が完了した後、初めてそのユーザが操作を行った際に、録画が終了した旨の表示を出力部２３０に行わせることができる。また、制御部２７０は、例えば、個人別の録画予約データに基づいてコンテンツの推薦などを行ってもよい。
【００５９】
また、制御部２７０は、操作信号にユーザデータの登録を促す情報が含まれている場合には、ユーザ登録アプリケーション２８０を起動する。
【００６０】
ユーザ登録アプリケーション２８０は、遠隔制御装置１００が新たなユーザの指紋の特徴パターンを検知した場合に、そのユーザに関連するデータをユーザに登録させるためのアプリケーションである。ユーザ登録アプリケーション２８０は、例えば、「父さん」、「パパ」、「ママ」などの表示名やアイコン、又はユーザの嗜好に関連するデータなどをユーザに入力又は選択させるフォームを出力部２３０に表示させてもよい。そして、ユーザ登録アプリケーション２８０は、ユーザにより新たなユーザデータが入力されると、入力されたユーザデータを設定記憶部２６０へ記憶させる。
【００６１】
＜４．処理の流れ＞
次に、図７及び図８を用いて、本実施形態に係る情報処理システム１による個人識別処理及び個人別の設定処理について説明する。
【００６２】
［個人識別処理］
図７は、本実施形態に係る遠隔制御装置１００による個人識別処理の流れの一例を示すフローチャートである。
【００６３】
図７において、まず、指紋検知部１２０により、遠隔制御装置１００を操作したユーザの指紋が検知され、指紋情報が特徴パターン抽出部１３０へ出力される（Ｓ３０２）。
【００６４】
次に、特徴パターン抽出部１３０により、入力された指紋情報の周波数成分が抽出され、スムージング処理が行われた結果、遠隔制御装置１００を操作したユーザの指紋の特徴パターンが生成される（Ｓ３０４）。ここで生成された特徴パターンは、個人識別部１５０へ出力される。
【００６５】
そして、個人識別部１５０により、遠隔制御装置１００を操作したユーザの指紋の特徴パターンが特徴パターン記憶部１４０に記憶されている既知の特徴パターンと比較される（Ｓ３０６）。ここで個人の識別に成功した場合、即ち遠隔制御装置１００を操作したユーザの指紋の特徴パターンが既知のいずれかの特徴パターンに対して高い相関を示していた場合には、処理はＳ３１０へ移る。一方、個人の識別に成功しなかった場合には、処理はＳ３１４へ移る（Ｓ３０８）。
【００６６】
Ｓ３０８において個人の識別に成功した場合には、次に、情報表示部１６０により、例えば、識別されたユーザを特定するユーザ識別子又はユーザ名などが遠隔制御装置１００に設けられた表示装置１６２に表示される（Ｓ３１０）。
【００６７】
そして、信号送信部１７０により、例えば、識別されたユーザを特定するユーザ識別子を含む操作信号が、遠隔制御装置１００の周囲へ送信される（Ｓ３１２）。
【００６８】
一方、Ｓ３０８において個人の識別に成功しなかった場合には、情報表示部１６０により、例えば、ユーザが未登録であることを示す情報が、遠隔制御装置１００に設けられた表示装置１６２に表示される（Ｓ３１４）。
【００６９】
そして、信号送信部１７０により、例えば、新たに採番されたユーザを特定するユーザ識別子と、ユーザの登録を促す情報とを含む操作信号が、遠隔制御装置１００の周囲へ送信される（Ｓ３１６）。
【００７０】
［個人別の設定処理］
図８は、本実施形態に係る被制御装置２００による個人別の設定処理の流れの一例を示すフローチャートである。
【００７１】
図８において、まず、被制御装置２００の信号受信部２５０により、遠隔制御装置１００から送信された操作信号が受信される（Ｓ４０２）。ここで受信された操作信号は、制御部２７０へ出力される。
【００７２】
次に、制御部２７０により、操作信号からユーザ識別子が取得され、ユーザが登録済みであるか否かが判定される（Ｓ４０４）。ここで、ユーザが登録済みである場合には、処理はＳ４０６へ移る。一方、ユーザが未登録である場合には、処理はＳ４１０へ移る。
【００７３】
Ｓ４０４においてユーザが登録済みであった場合には、次に、制御部２７０により、ユーザ別の設定データが設定記憶部２６０から取得される（Ｓ４０６）。
【００７４】
そして、制御部２７０により、設定記憶部２６０から取得された設定データに応じて、被制御装置２００の動作が制御される（Ｓ４０８）。
【００７５】
一方、Ｓ４０４においてユーザが未登録であった場合には、次に、制御部２７０により、ユーザ登録アプリケーション２８０が起動される（Ｓ４１０）。なお、このとき、制御部２７０は、ユーザにユーザ登録アプリケーション２８０の起動の可否を確認してもよい。
【００７６】
そして、ユーザ登録アプリケーション２８０により、例えばユーザに関連するデータをユーザに入力させるフォームなどが画面上に表示され、入力されたデータが設定記憶部２６０へ記憶される（Ｓ４１２）。
【００７７】
＜５．まとめ＞
ここまで、図１〜図８を用いて、本発明の一実施形態に係る情報処理システム１について説明を行った。本実施形態によれば、遠隔制御装置１００により指紋から抽出した周波数成分を用いて個人識別を行うことにより、ユーザの趣味や嗜好を反映した様々な設定データの簡便な読出しが実現される。また、読み出される設定データは、画質や音質の設定のほか、個人別の録画予約やブラウザのお気に入り、映像や楽曲などのコンテンツの再生履歴、ＧＵＩのカスタマイズなど多岐に渡る。それにより、マルチユーザ環境のコンピュータを個々のユーザがカスタマイズして利用するような体験が、デジタルテレビを初めとするデジタル家電製品においても提供される。
【００７８】
ここで、本実施形態に係る遠隔制御装置１００による指紋の周波数成分を用いた個人識別方法は、近年実用化された様々な生体認証方法と比較すると、必要とされる処理量やデータ量が少ないため、一般的な家電製品に要求される俊敏な操作感を損なうことがない。また、本実施形態に係る個人識別方法によれば、従来の生体認証方法よりも識別可能なユーザ数の面では劣るが、デジタル家電機器の通常の利用場面などのように、家庭内の多くても１０名程度のユーザを識別するには十分である。
【００７９】
なお、情報処理システム１において、遠隔制御装置１００による個人識別の結果を用いることなく、ユーザによらない共通の設定に基づいて被制御装置２００が制御されてもよい。
【００８０】
また、本明細書において説明した一実施形態に係る一連の処理又はその一部をハードウェアで実現するかソフトウェアで実現するかは問わない。一連の処理又はその一部がソフトウェアで実行される場合には、ソフトウェアを構成するプログラムが、例えばフラッシュメモリやＨＤＤなどの記憶装置に予め格納される。そして、記憶装置に格納されたプログラムは、実行時にＲＡＭ（Random  Access  Memory）に読み込まれ、ＣＰＵ（Central  Processing  Unit）により実行される。
【００８１】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００８２】
【図１】一実施形態に係る情報処理システムを示す模式図である。
【図２】一実施形態に係る遠隔制御装置の論理的な構成を示すブロック図である。
【図３】一実施形態に係る遠隔制御装置の外観を示す模式図である。
【図４】一実施形態に係る指紋検知部から出力される指紋情報について説明するための模式図である。
【図５】一実施形態に係る特徴パターン抽出部の詳細な構成の一例を示すブロック図である。
【図６】一実施形態に係る被制御装置の論理的な構成を示すブロック図である。
【図７】一実施形態に係る個人識別処理の流れを示すフローチャートである。
【図８】一実施形態に係る個人別の設定処理の流れを示すフローチャートである。
【符号の説明】
【００８３】
１              情報処理システム
１００          遠隔制御装置
１１０          操作部
１２０          指紋検知部
１３０          特徴パターン抽出部
１４０          特徴パターン記憶部
１５０          個人識別部
１６０          情報表示部
１７０          信号送信部
２００          被制御装置
２１０          チューナ
２２０          放送記憶部
２３０          出力部
２５０          信号受信部
２６０          設定記憶部
２７０          制御部
２８０          ユーザ登録アプリケーション
【図１】
2010087596.tif 000003
【図２】
2010087596.tif 000004
【図３】
2010087596.tif 000005
【図４】
2010087596.tif 000006
【図５】
2010087596.tif 000007
【図６】
2010087596.tif 000008
【図７】
2010087596.tif 000009
【図８】
2010087596.tif 000010